(57)【要約】【課題】建物の１階にエレベータ乗り場のスペースを確保する必要をなくして１階の居住スペースを広げることのできるエレベータ付き建物を提供する。【解決手段】複数の階床を有する建物１の昇降路３内を、二方向ドア４ａ，４ｂを有するエレベータの乗りかご４が昇降してエレベータ利用者を任意の階床に移動させる。建物１は、１階の外側の地面に面した箇所にエレベータの第１の乗り場ドア１ａを有するとともにエレベータの第１の乗り場ドア１ａと異なる箇所に１階の入居者専用の出入り口１ｂを有し、かつ他の階床にエレベータの第２の乗り場ドア１ｃを有する。乗りかご４は、その第１のかごドア４ａが外側の地面に面する第１の乗り場ドア１ａに対応する側に設けられ、その第２のかごドア４ｂが第２の乗り場ドア１ｃに対応する側に設けられてそれぞれエレベータ利用者の乗降口として構成されている。【選択図】図１
2007217128.tif 000002
【特許請求の範囲】
【請求項１】
複数の階床を有する建物の昇降路内をエレベータの乗りかごが昇降してエレベータ利用者を任意の階床に移動させるエレベータ付き建物において、
前記乗りかごは、前記建物の外側に向かう位置に設けられた第１のかごドアと、前記第１のかごドアと異なる向きに設けられた第２のかごドアとを有し、
前記建物は、前記第１のかごドアに対応する位置に設けられて建物の１階の外側から前記第１のかごドアを通じて前記乗りかごに直接乗降するための第１の乗り場ドアと、前記第２のかごドアを通じて１階以外の階床で前記乗りかごに乗降するために１階以外の各階に設けられた第２の乗り場ドアと、を有すること、
を特徴とするエレベータ付き建物。
【請求項２】
前記第２のかごドアを通じて前記建物内の１階の階床で前記乗りかごに乗降するために１階に設けられた第３の乗り場ドアをさらに有すること、を特徴とする請求項１に記載のエレベータ付き建物。
【請求項３】
前記第１の乗り場ドアの近傍の前記建物の外側に、前記乗りかごを呼ぶための第１の乗り場操作盤が設けられ、第１の乗り場操作盤がオートロック機構と連動していること、を特徴とする請求項１または請求項２に記載のエレベータ付き建物。
【請求項４】
前記オートロック機構は、前記第１の乗り場ドア、第２の乗り場ドア、第１のかごドアおよび第２のかごドアのうちの少なくとも一つの開動作を制限するものであること、を特徴とする請求項３に記載のエレベータ付き建物。
【請求項５】
前記オートロック機構は、前記第１の乗り場操作盤での解除操作によって解除されるように構成されていること、を特徴とする請求項３または請求項４に記載のエレベータ付き建物。
【請求項６】
前記建物内に、前記オートロック機構を解除する操作をするためのオートロック解除操作部を有すること、を特徴とする請求項３ないし請求項５のいずれか一項に記載のエレベータ付き建物。
【発明の詳細な説明】
【技術分野】
【０００１】
本発明は、二方向ドアを有する乗りかごを用いたエレベータ付き建物に関し、特に、建物内スペースの効率的利用を図ったエレベータ付き建物に関するものである。
【背景技術】
【０００２】
集合住宅や複数のテナントが入居する事務所ビルなどでエレベータを有する建物において、各階床にはそれぞれ一戸の住宅または一つのテナントのみが入居する構造のものがある。また建物の有効利用を図るため、１階を店舗として利用することもある。このような形態の建物において、１階の建物の出入り口内側の玄関ホール付近にエレベータ乗り場（エレベータホール）を設け、このエレベータ乗り場を利用して行先階に移動できるように構成するのが一般的である。
【発明の開示】
【発明が解決しようとする課題】
【０００３】
上記のようにエレベータを設置すると、１階に共用のエレベータ乗り場のスペースを設ける必要があり、それだけ１階の居住スペースや店舗スペースなどの専用スペースが狭くなる。
【０００４】
本発明は、上記課題を解決するためになされたもので、建物内の１階にエレベータ乗り場のスペースを確保する必要をなくして１階の専用スペースを広げることのできるエレベータ付き建物を提供することを目的とする。
【課題を解決するための手段】
【０００５】
上記の課題を解決するため、本発明によるエレベータ付き建物は、複数の階床を有する建物の昇降路内をエレベータの乗りかごが昇降してエレベータ利用者を任意の階床に移動させるエレベータ付き建物において、前記乗りかごは、前記建物の外側に向かう位置に設けられた第１のかごドアと、前記第１のかごドアと異なる向きに設けられた第２のかごドアとを有し、前記建物は、前記第１のかごドアに対応する位置に設けられて建物の１階の外側から前記第１のかごドアを通じて前記乗りかごに直接乗降するための第１の乗り場ドアと、前記第２のかごドアを通じて１階以外の階床で前記乗りかごに乗降するために１階以外の各階に設けられた第２の乗り場ドアと、を有すること、を特徴とする。
【発明の効果】
【０００６】
本発明によれば、エレベータ利用者は、建物の外に面したエレベータの第１の乗り場ドアを利用して乗降し、１階を除く階床または各階床に設けられたエレベータの第２の乗り場ドアを利用して乗降できる。このため、建物の１階に共用のエレベータ乗り場スペースを設ける必要がなくなり、１階の専用スペースを広げることができる。
【発明を実施するための最良の形態】
【０００７】
以下、本発明の実施形態を説明する。図１は、本発明によるエレベータ付き建物の第１の実施形態を示す要部縦断面図である。図２は図１のII−II線矢視平断面図である。図３は図１のIII−III線矢視平断面図である。図４は本発明の実施形態で用いるオートロック付き乗り場操作盤を示す正面図である。図１ないし図４において、図１に示す建物１は、地上５階建てで、図示右側は建物１内、図示左側は建物１外で、１階が道路などの外側の地面２に面している構造である。この建物１の外側の地面２に近い側壁の内側に昇降路３が設けられている。
【０００８】
昇降路３内には乗りかご４が配置され、乗りかご４は、巻上機５によって駆動されるシーブ６によりロープ７を介して釣り合い重り８との釣り合いによって昇降されるようになっている。乗りかご４には、互いに異なる方向に開く第１のかごドア４ａと第２のかごドア４ｂとが設けられている。乗りかご４内には、行先階の押しボタンやドア開閉ボタンなどが配置されたかご内操作盤９や、かご内報知装置１０などが設けられている。かご内操作盤９は、第１のかごドア４ａおよび第２のかごドア４ｂのそれぞれの近傍に設けることができる。
【０００９】
建物１内の入居形態は、１階が図２に示すように店舗が配置され、２階以上の階には、図３に示すように、それぞれ居室（テナントの専用スペース）が配置されている。建物１の１階には、外側の地面２に面する個所にエレベータの第１の乗り場ドア１ａが設けられており、またこの第１の乗り場ドア１ａと異なる箇所に１階の店舗専用の出入り口１ｂが設けられている。
【００１０】
１階の乗り場ドア１ａの近傍に位置する建物１の外壁には、図４に示す乗り場操作盤（第１の乗り場操作盤）１１が設けられている。この乗り場操作盤１１には、かご呼びボタン１１ａのほか、オートロック機能が付加されている。オートロック機能は、テンキー１１ｂや呼び出しボタン１１ｃ、入出力装置１１ｄ、開錠キー穴１１ｅなどを備えている。居住者は、開錠キー穴１１ｅにキーを挿入したり、テンキー１１ｂに暗証番号を入力することなどの所定の操作を行なうことにより、オートロックをはずすことができる。また、来訪者は、呼び出しボタン１１ｃを押し、図示しないインターホンなどによって建物内の人と連絡できるようになっている。
【００１１】
第１のかごドア４ａは、第１の乗り場ドア１ａに対応する側に設けられており、第１のかごドア４ａおよび乗り場ドア１ａによってエレベータ利用者の乗降口が構成されている。
【００１２】
建物１の２階以上の階床には、第２のかごドア４ｂに対応する側にそれぞれ第２の乗り場ドア１ｃが設けられており、この各第２の乗り場ドア１ｃの近傍に位置する建物１の内壁に乗り場操作盤１２が設けられている。またこれら２階以上の階床のエレベータ乗り場には、各居室の玄関ホール１３が設けられ、さらに居室の玄関ドア１４が設けられている。なお、建物の外壁に沿って非常階段１５が配置されている。
【００１３】
乗りかご４を運転制御する駆動制御装置１６は、かご内操作盤９、かご内出力装置１０、乗り場操作盤１１，１２、巻上機５などと接続されている。
【００１４】
このような構成を有するエレベータ付き建物においては、１階の店舗には、出入り口１ｂを利用して出入りできる。地上から２階以上の階床へ移動する場合には、居住者の場合、開錠キー穴１１ｅにキーを挿入して操作したり、またはテンキー１１ｂに暗証番号を入力したりしてオートロックを解除した後、かご呼びボタン１１ａを押してかご呼び登録を行ない、乗りかご４内に搭乗する。その後、かご内操作盤９の行先階ボタンを押して目的階へ行くことができる。来訪者の場合は、テンキー１１ｂにより居室番号を入力して入出力装置１１ｄを介して居住者を呼び出し、居住者に来訪の旨を告げる。呼び出しを受けた居住者は、建物内の乗り場操作盤（第２の乗り場操作盤）１２にあるオートロック解除操作部によってオートロックを解除する。このオートロックの解除の後、来訪者は、かご呼びボタン１１ａを押して乗りかご４を呼び、行先階に移動する。
【００１５】
２階以上の階床から１階に降りる場合には、各階床の乗り場操作盤１２を操作してかご呼び登録を行ない、かご内操作盤９の１階ボタンを押して移動し、外側の地面２に面した１階の乗降口から外側の地面２上に出ることができる。
【００１６】
このようにエレベータ利用者は、外側の地面２に面した第１の乗り場ドア１ａおよび第１のかごドア４ａによる乗降口を利用して乗降し、２階以上の階床では、建物１の第２の乗り場ドア１ｃおよび第２のかごドア４ｂによる乗降口を利用して乗降できる。これにより、建物１の１階に共用のエレベータ乗り場スペースを設ける必要がなくなり、１階の居住スペース（専用スペース）を広げることができる。
【００１７】
以上説明した第１の実施形態の変形例として、エレベータ連動のオートロック機構を省略することもできる。この場合も、建物１の１階内部に共用のエレベータ乗り場スペースを設ける必要がなくなる点では、上記実施形態と同様である。
【００１８】
図５は、本発明の第２の実施形態を示す断面図である。ここで、第１の実施形態と同一または類似の部分には共通の符号を付して、重複説明は省略する。本実施形態では、建物１の１階も２階以上の階層と同様に居室とする。そして、乗りかご４が１階にあるときに第２のかごドア４ｂの前の位置、すなわち２階以上の第２の乗り場ドア１ｃに対応する位置に、第３の乗り場ドア１ｅが設けられ、さらに第３の乗り場ドア１ｅの奥に、２階以上と同様に玄関ホール１３および玄関ドア１４が設けられている。
【００１９】
この実施形態においては、１階への出入りのさいにエレベータの乗りかご４を通過することになる。このため、建物１階への出入りのためのドアを省略できる。特に、第１、第２、第３の乗り場ドア１ａ、１ｃ、１ｅや、第１、第２のかごドア４ａ、４ｂの開を制限するオートロック機構を設置しておけば、共通の設備で１階への出入りを２階以上と同様に制御することができる。
【図面の簡単な説明】
【００２０】
【図１】本発明に係るエレベータ付き建物の第１の実施形態を示す要部縦断面図である。
【図２】図１のII−II線矢視平断面図である。
【図３】図１のIII−III線矢視平断面図である。
【図４】本発明の実施形態で用いるオートロック付き乗り場操作盤を示す正面図である。
【図５】本発明に係るエレベータ付き建物の第２の実施形態を示す平断面図である。
【符号の説明】
【００２１】
１…建物、１ａ…第１の乗り場ドア、１ｂ…出入り口、１ｃ…第２の乗り場ドア、１ｅ…第３の乗り場ドア、２…地面、３…昇降路、４…乗りかご、４ａ…第１のかごドア、４ｂ…第２のかごドア、５…巻上機、６…シーブ、７…ロープ、８…釣り合い重り、９…かご内操作盤、１０…かご内報知装置、１１…第１の乗り場操作盤、１１ａ…かご呼びボタン、１１ｂ…テンキー、１１ｃ…呼び出しボタン、１１ｄ…入出力装置、１１ｅ…開錠キー穴、１２…第２の乗り場操作盤、１３…玄関ホール、１４…玄関ドア、１５…非常階段、１６…駆動制御装置
【図１】
2007217128.tif 000003
【図２】
2007217128.tif 000004
【図３】
2007217128.tif 000005
【図４】
2007217128.tif 000006
【図５】
2007217128.tif 000007